(57)【要約】  キャビティ（２０）内に配置された負荷にエネルギを付加するためのソリッドステート式マイクロ波ジェネレータ（１６）が提供される。マイクロ波ジェネレータは、オシレータ（３０）と、オシレータ（３０）に接続されたプリアンプ（３８）と、プリアンプ（３８）に接続されたパワーアンプ（１８）と、パワーアンプに接続されてキャビティに連通する放射素子（２６）と、オシレータとパワーアンプとの間のラインに接続され、電磁スペクトルのマイクロ波領域の既定の通過帯域を備えるパッシブ型バンドパスフィルタ（１７）とを有する。パッシブ型のマイクロストリップバンドパスフィルタの出力がパワーアンプの入力に接続されて、通過帯域外の周波数で放射素子によってキャビティに伝送されるエネルギを制限している。
2017517128.tif 000002
【特許請求の範囲】
【請求項１】
キャビティ（２０）内に配置された負荷にエネルギを付加するためのソリッドステート式マイクロ波ジェネレータ（１６）であって、
オシレータ（３０）と、
オシレータ（３０）に接続されたプリアンプ（３８）と、
プリアンプ（３８）に接続されたパワーアンプ（１８）と、
パワーアンプ（１８）に接続され、キャビティ（２０）に連通する放射素子（２６）と、
オシレータ（３０）とパワーアンプ（１８）との間のラインに接続され、電磁スペクトルのマイクロ波領域の既定の通過帯域を備えるパッシブ型バンドパスフィルタ（１７）と、を有し、
パッシブ型バンドパスフィルタ（１７）の出力がパワーアンプ（１８）の入力に接続されて、通過帯域外の周波数で放射素子（２６）によってキャビティ（２０）に伝送されるエネルギを制限している、ソリッドステート式マイクロ波ジェネレータ（１６）。
【請求項２】
パッシブ型バンドパスフィルタ（１７）が、プリアンプ（３８）とパワーアンプ（１８）との間に配置されている、請求項１に記載のソリッドステート式マイクロ波ジェネレータ（１６）。
【請求項３】
ラインが低信号ラインである、請求項１に記載のソリッドステート式マイクロ波ジェネレータ（１６）。
【請求項４】
パッシブ型バンドパスフィルタ（１７）の出力が、パワーアンプ（１８）の入力に直結している、請求項１に記載のソリッドステート式マイクロ波ジェネレータ（１６）。
【請求項５】
パッシブ型バンドパスフィルタ（１７）が、マイクロストリップを含んでいる、請求項１に記載のソリッドステート式マイクロ波ジェネレータ（１６）。
【請求項６】
マイクロ波オーブン（１０）であって、
負荷を収容するように、且つ、所定の周波数範囲でマイクロ波エネルギの漏出をシールするように構成されたキャビティｚ（２０）と、
キャビティ（２０）内に配置された負荷にエネルギを付加するためのソリッドステート式マイクロ波ジェネレータ（１６）と、を有し、
ソリッドステート式マイクロ波ジェネレータ（１６）が、
オシレータ（３０）と、
オシレータ（３０）に接続されたプリアンプ（３８）と、
プリアンプ（３８）に接続されたパワーアンプ（１８）と、
パワーアンプ（１８）に接続され、キャビティ（２０）に連通する放射素子（２６）と、
オシレータ（３０）とパワーアンプ（１８）との間のラインに接続され、所定の周波数の既定の通過帯域を備えるパッシブ型バンドパスフィルタ（１７）と、を有し、
パッシブ型バンドパスフィルタ（１７）の出力がパワーアンプ（１８）の入力に接続されて、所定の周波数範囲外の周波数で放射素子（２６）によってキャビティ（２０）に伝送されるエネルギを制限している、マイクロ波オーブン（１０）。
【請求項７】
パッシブ型バンドパスフィルタ（１７）が、プリアンプ（３８）とパワーアンプ（１８）との間に配置されている、請求項６に記載のマイクロ波オーブン（１０）。
【請求項８】
ラインが低信号ラインである、請求項６に記載のマイクロ波オーブン（１０）。
【請求項９】
パッシブ型バンドパスフィルタ（１７）の出力が、パワーアンプ（１８）の入力に直結している、請求項６に記載のマイクロ波オーブン（１０）。
【請求項１０】
所定の周波数範囲が、２．４〜２．５ＧＨｚである、請求項６に記載のマイクロ波オーブン（１０）。
【請求項１１】
パッシブ型バンドパスフィルタ（１７）が、マイクロストリップを含んでいる、請求項６に記載のマイクロ波オーブン（１０）。
【発明の詳細な説明】
【関連出願】
【０００１】
本願は、２０１４年３月２１日に出願された米国出願第１４／２２１５２８号の利益を請求するものである。
【背景技術】
【０００２】
従来のマイクロ波オーブンは、高周波数の交流電磁場を閉鎖キャビティ全体にわたって分布させる誘電加熱プロセスによって食品を調理する。２．４５ＧＨｚでのまたは２．４５ＧＨｚ近傍の無線周波数スペクトルのサブバンドのマイクロ波周波数により、主に食品内の水分へのエネルギ吸収によって誘電加熱が起こる。
【０００３】
従来のマイクロ波においてはマイクロ波周波数放射を発生させるために、電圧を高電圧変圧器に印加することによって生じた高電圧電力が、マイクロ波周波数放射を発生させるマグネトロンに印加されている。そして、そのマイクロ波は、導波管を介して、食品を収容する閉鎖キャビティに伝送される。マグネトロンなどのシングルの非コヒーレント源を用いて閉鎖キャビティ内の食品を調理すると、食品に加熱むらが起こる可能性がある。マイクロオーブン内の食品をよりむらなく加熱するためのものとして、特に、キャビティ内でマイクロ波を再配分するためのマイクロ波撹拌器と、キャビティ内で食品を回転させるためのターンテーブルとがある。
【発明の概要】
【０００４】
一態様において、キャビティ内に配置された負荷にエネルギを付加するためのソリッドステート式マイクロ波ジェネレータが提供される。マイクロ波ジェネレータは、オシレータと、オシレータに接続されたプリアンプと、プリアンプに接続されたパワーアンプと、パワーアンプに接続されてキャビティに連通する放射素子と、オシレータとパワーアンプとの間のラインに接続され、電磁スペクトルのマイクロ波領域の既定の通過帯域を備えるパッシブ型バンドパスフィルタと、を有する。パッシブ型バンドパスフィルタの出力がパワーアンプの入力に接続されて、通過帯域外の周波数で放射素子によってキャビティに伝送されるエネルギを制限している。
【０００５】
別の態様において、上述のソリッドステート式マイクロ波ジェネレータを備えるマイクロ波オーブンが提供される。
【図面の簡単な説明】
【０００６】
図面において、
【０００７】
【図１】図１は、本発明の一実施の形態に係る、複数のＲＦフィーダを備えるマイクロ波オーブンの信号経路のブロック図である。
【０００８】
【図２】図２は、図１に示すマイクロ波オーブンにおける１つのＲＦフィーダ用のソリッドステート式マイクロ波ジェネレータの拡大ブロック図である。
【発明を実施するための形態】
【０００９】
ソリッドステート式高周波（ＲＦ）調理器は、閉鎖キャビティ内に電磁放射を行うことによって食物を加熱調理する。閉鎖キャビティの異なる位置に配置されたＲＦフィーダにより、動的な（ｄｙｎａｍｉｃ）マイクロ波パターンが生成される。閉鎖キャビティ内の波パターンを制御して成形するために、複数のＲＦフィーダは、閉鎖キャビティ内のコヒーレンス（すなわち、安定した干渉パターン）を維持するために別々に制御された電磁特性を備える波を放射してもよい。例えば、ＲＦフィーダそれぞれは、他のフィーダに対して異なる位相および／または振幅で発信してもよい。複数のＲＦフィーダにおいて、他の電磁特性が共通であってもよい。例えば、ＲＦフィーダそれぞれは、共通であるが可変な周波数で発信してもよい。以下の実施の形態はＲＦフィーダが電磁波によって閉鎖キャビティ内の対象を加熱する調理器を対象としているが、本明細書で言うマイクロ波オーブンと本明細書から導出される発明の概念はこれに限定されない。保護対象の概念は、電磁放射を閉鎖キャビティ内に行い、それによりキャビティ内の対象に影響を与えるあらゆるＲＦデバイスに適用可能である。デバイスの一例には、オーブン、ドライヤ、スチーマなどが含まれる。
【００１０】
図１は、一実施の形態に係る複数のＲＦフィーダ２６Ａ〜２６Ｄを備えたマイクロ波オーブン１９内の信号経路のブロック図である。マイクロ波オーブン１０は、電源１２、コントローラ１４、小信号マイクロ波ジェネレータ１６、ヒューマン・マシン・インターフェース２８、１つ以上のバンドパスフィルタ１７Ａ〜１７Ｄ、および、それぞれがＲＦフィーダ２６Ａ〜２６Ｄに接続された複数のパワーアンプ１８Ａ〜１８Ｄを含んでいる。複数のＲＦフィーダ２６Ａ〜２６Ｄそれぞれは、複数のパワーアンプ１８Ａ〜１８Ｄ中の１つからのＲＦ電力を閉鎖キャビティ２０に連結（ｃｏｕｐｌｅ）する。
【００１１】
電源１２は、電気の幹線からの電力をコントローラ１４、小信号マイクロ波ジェネレータ１６、ヒューマン・マシン・インターフェース２８、および複数のパワーアンプ１８Ａ〜１８Ｄに供給する。電源１２は、電気の幹線を、電力が供給されるデバイスに必要な電力レベルに変換する。電源１２は、可変な出力電圧レベルを伝送してもよい。例えば、電源１２は、０．５ボルトきざみで選択的に制御された電圧レベルを出力してもよい。この場合、電源１２は、通常時にはパワーアンプ１８Ａ〜１８Ｄそれぞれに２８ボルトの直流（ＤＣ）を供給し、所望のレベルに基づいてＲＦ電力レベルを下げるために、１５ボルトＤＣなどのより低い電圧を供給してもよい。
【００１２】
コントローラ１４は、マイクロ波オーブン１０に含まれてもよく、調理サイクルを実行するマイクロ波オーブン１０の様々な構成要素に動作可能に接続されてもよい。コントローラ１４はまた、ユーザによって選択された入力を受け取ってユーザに情報を提供するコントロールパネル、すなわちヒューマン−マシンインターフェース２８に動作可能に接続されてもよい。ヒューマン−マシンインターフェース２８は、ユーザが調理サイクルなどの命令を入力できるようにまた情報を受け取ることができるように、ダイアル、ライト、スイッチ、タッチスクリーン素子、および／またはディスプレイなどの操作制御部を含んでもよい。ユーザインターフェース２８は、１つの構成要素、あるいは、中央集積化されたまたは互いに分散された複数の構成要素であってもよい。
【００１３】
コントローラ１４は、メモリと中央処理ユニット（ＣＰＵ）とを備えてもよく、また、好ましくはマイクロコントローラとして具現化されてもよい。メモリは、ＣＰＵによって実行されて調理サイクルを完了させる制御ソフトウェアを記憶するために使用されてもよい。例えば、メモリは、ユーザによって選択されてマイクロ波オーブン１０によって完了される、予めプログラミングされた１つ以上の調理サイクルを記憶してもよい。コントローラ１４はまた、１つ以上のセンサからの入力を受け取ってもよい。コントローラ１４に通信可能に接続される非限定的な一例のセンサとして、ＲＦ電力を測定するピークレベル検出器、閉鎖キャビティ２０または１つ以上のパワーアンプ１８Ａ〜１８Ｄの温度を測定する温度センサがある。
【００１４】
ヒューマン−マシンインターフェース２８によって提供されたユーザ入力と複数のパワーアンプ１８Ａ〜１８Ｄからの入射電力強度および反射電力強度を含むデータ（図１に示す、パワーアンプ１８Ａ〜１８Ｄから小信号マイクロ波ジェネレータ１６を通過してコントローラ１４に至る経路）とに基づいて、コントローラ１４は、調理方法を決定し、小信号マイクロ波ジェネレータ１６の設定値を計算してもよい。この場合、コントローラ１４のメイン機能の１つは、ユーザによって始動されたときに調理サイクルを説明するようにマイクロ波オーブン１０を作動させることである。小信号マイクロ波ジェネレータ１６は、以下に後述するが、コントローラ１４によって示された設定値に基づいて、１つ以上のマイクロ波信号、すなわち、パワーアンプ１８Ａ〜１８Ｄそれぞれに対する信号を生成してもよい。
【００１５】
それぞれがＲＦフィーダ２６Ａ〜２６Ｄの１つに接続されているパワーアンプ１８Ａ〜１８Ｄは、小信号マイクロ波ジェネレータ１６によって提供された低電力マイクロ波信号に基づいて、高電力マイクロ波信号を出力する。パワーアンプ１８Ａ〜１８Ｄそれぞれに入力される小電力マイクロ波信号は、電源１２によって供給された直流電力を高電力マイクロ波信号に変換することによって増幅されてもよい。例えば、パワーアンプ１８Ａ〜１８Ｄそれぞれは、２５０ワットのマイクロ波信号を出力する能力があってもよい。パワーアンプ１８Ａ〜１８Ｄそれぞれの最大出力ワットは、実施に応じて、２５０ワットより大きいまたは小さくてもよい。
【００１６】
加えて、パワーアンプ１８Ａ〜１８Ｄそれぞれは、アンプ出力での入射電力レベルおよび反射電力レベルの強度を測定する検出能力を備える。パワーアンプ１８Ａ〜１８Ｄそれぞれの出力での測定された反射電力は、パワーアンプ１８Ａ〜１８Ｄと閉鎖キャビティ２０との間のインピーダンスのミスマッチによって生じた、パワーアンプ１８Ａ〜１８Ｄに戻った電力レベルを示している。調理方法にある程度影響するためにコントローラ１４や小信号マイクロ波ジェネレータ１６にフィードバックすることに加えて、反射レベルは重要視されうる。なぜなら、過剰な反射レベルはパワーアンプ１８Ａ〜１８Ｄにダメージを与える可能性があるからである。
【００１７】
そのため、パワーアンプ１８Ａ〜１８Ｄそれぞれは、過剰なＲＦ反射を吸収するための疑似負荷を含んでもよい。パワーアンプ１８Ａ〜１８Ｄそれぞれでの反射電力レベルを判断するとともに、疑似負荷での温度検出を含むパワーアンプ１８Ａ〜１８Ｄでの温度検出により、反射電力レベルが所定のしきい値を超えたときに判断する必要があるデータが提供されてもよい。しきい値を超えた場合、電源１２、コントローラ１４、小信号マイクロ波ジェネレータ１６、または、パワーアンプ１８Ａ〜１８Ｄを含むＲＦ伝送チェーン（ｃｈａｉｎ）内の任意の制御要素が、1つ以上のパワーアンプ１８Ａ〜１８Ｄが低電力レベルに切り替わるまたは完全に停止した可能性を判断してもよい。数ミリ秒の間に反射電力レベルまたは検出温度が高くなりすぎると、例えば、パワーアンプ１８Ａ〜１８Ｄのいずれかが自動的に自ら停止してもよい。他の例において、電源１２が、全てのパワーアンプ１８Ａ〜１８Ｄに供給する直流電力をカットしてもよい。
【００１８】
複数のＲＦフィーダ２６Ａ〜２６Ｄそれぞれは、パワーアンプ１８Ａ〜１８Ｄに接続され、閉鎖キャビティ２０に連通している放射素子を含んでいる。複数のＲＦフィーダ２６Ａ〜２６Ｄそれぞれの放射素子は、マイクロ波信号の電力減衰が小さくなるように設計された導波管構造体を介して、実装されてもよい。例えば、マイクロ波技術者には公知の金属製方形導波管は、パワーアンプ１８Ａ〜１８Ｄから閉鎖キャビティ２０へのＲＦ電力のガイドを、１メータあたり約０．０３デシベルの電力減衰で行うことができる。他のタイプの放射素子は、一つ以上のアンテナ構造体、または、導波管とアンテナ構造体の組み合わせを含んでもよい。複数のＲＦフィーダ２６Ａ〜２６Ｄは、空間的に分離されているが一定な物理的な場所で、閉鎖キャビティ２０に接続されてもよい。
【００１９】
閉鎖キャビティ２０は、選択的に、その内部にオプションの仕切り２４を投入することによって形成されたサブキャビティ２２Ａ〜２２Ｂを含んでもよい。閉鎖キャビティ２０は、少なくとも一方のサイドに、食品やオプションの仕切り２４の出し入れのために、ユーザの閉鎖キャビティ２０内へのアクセスを可能にするシールドドアを含んでもよい。
【００２０】
ＲＦフィーダ２６Ａ〜２６Ｄそれぞれの伝送帯域は、好ましくは、２．４ＧＨｚから２．５ＧＨｚの電磁スペクトル範囲の周波数を含んでいる。ＲＦフィーダ２６Ａ〜２６Ｄは、他のＲＦ帯域を伝送するように構成されてもよい。例えば、２．４ＧＨｚと２．５ＧＨｚの間の周波数の帯域は、産業科学医療用（ＩＳＭ）の無線帯域を取り決めるいくつかの帯域の１つである。他のＲＦ帯域の伝送は、考慮され、そして、１３．５５３ＭＨｚから１３．５６７ＭＨｚ、２６．９５７ＭＨｚから２７．２８３ＭＨｚ、９０２ＭＨｚから９２８ＭＨｚ、５．７２５ＧＨｚから５．８７５ＧＨｚ、２４ＧＨｚから２４．２５０ＧＨｚの周波数によって定義されるＩＳＭ帯域に含まれる非限定的な例を含んでもよい。
【００２１】
図２は、マイクロ波オーブンの１つのＲＦフィーダ２６Ｃ用のソリッドステート式マイクロ波ジェネレータ１１のブロック図を示している。小信号マイクロ波ジェネレータ１６は、連続的に接続されて全てがＲＦコントローラ３２の制御下にあるオシレータ３０、位相ジェネレータ３４、およびプリアンプ３８を含んでもよい。この場合、小信号マイクロ波ジェネレータ１６から出力される実際の周波数、位相、および振幅は、好ましくはデジタルコントロールインタフェースとして実装されているＲＦコントローラ３２を介してプログラム可能である。小信号マイクロ波ジェネレータ１６は、調理用コントローラ１４から物理的に分離されてもよく、または、そのコントローラ１４に対して物理的に搭載あるいは統合されてもよい。小信号マイクロ波ジェネレータ１６は、好ましくは、特注の集積回路として実装されている。
【００２２】
図２に示すように、小信号マイクロ波ジェネレータ１６は、１つのＲＦフィーダ２６Ｃを駆動するために、１つのマイクロ波信号を出力してもよい。なお、図１に示すように、小信号マイクロ波ジェネレータ１６はまた、複数のＲＦフィーダ２６Ａ〜２６Ｄを駆動するために、複数のマイクロ波信号を出力してもよい。例えば、小信号マイクロ波ジェネレータ１６は、共通で可変の周波数（例えば、２．４ＧＨｚから２．５ＧＨｚの範囲）を共有する複数のＲＦフィーダ２６Ａ〜２６Ｄを駆動してもよい。しかし、位相と振幅については、ＲＦフィーダ２６Ａ〜２６Ｄそれぞれに対して設定可能である。この構成は一例であって、これに限定されるものではない。小信号マイクロ波ジェネレータ１６は、多かれ少なかれチャンネルを出力し、用途にもよるがチャンネルそれぞれについて、固有の可変周波数を出力する能力をもってもよい。
【００２３】
上述したように、小信号マイクロ波ジェネレータ１６は、電源１２から電力を得てもよく、また、コントローラ１４からの１つ以上の制御信号を入力してもよい。付加的な入力として、パワーアンプ１８Ａ〜１８Ｄによって決定された入射電力レベルと反射電力レベルとを含んでもよい。これらの入力に基づいて、ＲＦコントローラ３２は、周波数を選択してもよく、選択された周波数の信号指示を出力するために、オシレータ３０に信号を送信してもよい。図２のオシレータ３０を表すブロックに図示するように、選択された周波数は、個別の周波数のセットにわたって周波数が分布する正弦波信号を決定する。例えば、２．４ＧＨｚから２．５ＧＨｚの選択可能な帯域は、１０１個の固有周波数の選択を可能にする１ＭＨｚの解像度で離散化されてもよい。
【００２４】
複数のＲＦフィーダ２６Ａ〜２６Ｄを備えるマイクロ波オーブン１０の場合、小信号マイクロ波ジェネレータ１６は、最終的なマイクロ波信号のために信号位相を制御する能力を備えてもよい。コヒーレント信号制御の場合、オシレータ３０の後、マイクロ波信号は、位相ジェネレータ３４に送られてもよい。シングルチャンネル位相ジェネレータ３６は、異なる位相、すなわち、入力信号の正弦状関数の初期角度を与えてもよい。図２のシングルチャンネル位相ジェネレータ３６を表すブロックに図示するように、チャンネルのためのマイクロ波信号の選択された位相は、個別の角度のセットにわたって分布してもよい。例えば、選択可能な位相（振動の半周期すなわち１８０度にわたる範囲）は、チャンネルごとに１９個の固有位相の選択を可能にする１０度の解像度で離散化されてもよい。
【００２５】
シングルチャンネル位相ジェネレータ３６の後、チャンネル毎のマイクロ波信号は、位相ジェネレータ３４からプリアンプ３８に送られてもよい。ＲＦコントローラ３２からの制御信号に続いて、プリアンプ３８は、異なる振幅にするために、チャンネル毎のマイクロ波信号を増幅するまたは減衰してもよい。図２のチャンネル毎のプリアンプ４０を表すブロックに図示するように、マイクロ波信号の選択された振幅は、個別の振幅（すなわち電力レベル）のセットにわたって分布してもよい。例えば、選択可能な振幅は、チャンネルごとに４７個の固有振幅の選択を可能にする０から２３デシベルの範囲にわたって０．５デシベルの解像度で離散化されてもよい。
【００２６】
プリアンプ３８から出力された低電力マイクロ波信号は、パワーアンプ１８に入力される。パワーアンプ１８は、電源１２によって供給された直流電力を高電力マイクロ波信号に変換することによってマイクロ波信号を増幅する。マイクロ波信号の振幅は、用途にもよるが、いくつかの方法の１つによって制御されてもよい。例えば、各チャンネルのプリアンプ３８の供給電圧の制御により、小信号マイクロ波ジェネレータ１６からの各チャンネルの出力振幅が、後のパワーアンプ１８のための所望なマイクロ波信号出力に対して正比例してもよい。代わりとして、チャンネルごとの出力は、パルス幅変調信号としてエンコードされてもよく、振幅レベルがパルス幅変調信号のデューティサイクルによってエンコードされている。さらなる別の代案では、閉鎖キャビティ２０に伝送されるマイクロ波信号の最終的な振幅を制御するために、電源１２のチャンネル毎の出力を調整し、パワーアンプ１８Ａ〜１８Ｄそれぞれに供給される供給電圧を変化させる。
【００２７】
バンドパスフィルタ１７が、オシレータ３０とパワーアンプ１８との間に接続されている。電力損失を最小化するために、バンドパスフィルタ１７は、好ましくは、プリアンプ３８とパワーアンプ１８との間に配置される。バンドパスフィルタの出力３９は、パワーアンプ１８の入力に対して極めて接近し且つ直結している。バンドパスフィルタ１７とパワーアンプ１８との間の近接は、パワーアンプ１８より前の任意のポイントでマイクロ波信号に対して行われうるバンドパスフィルタ１７の通過帯域外の周波数の増幅を低減する。
【００２８】
バンドパスフィルタ１７は、電磁スペクトルのマイクロ波領域（例えば２．４ＧＨｚから２．５ＧＨｚの電磁スペクトルの周波数範囲）の所定の通過帯域を備えるように構成されている。
図２のバンドパスフィルタ１７を表すブロックに図示するように、フィルタは、中央の周波数近くの範囲の周波数を通過させ、通過帯域外の周波数を減衰させる。
【００２９】
好ましくは、バンドパスフィルタ１７はパッシブ型（すなわち、フィルタはマイクロ波を増幅しない）であり、マイクロストリップ技術を用いることによって構成されている。マイクロストリップ技術は、一般的に誘電層または誘電基板によってグラウンド面から離れた導体ストリップからなるプリント回路基板技術を用いて作製される電気伝送ラインの一種である。マイクロストリップ素子は、基板上の金属配線パターンに基づいて、マイクロ波周波数信号を伝送する。
【００３０】
通過帯域がマイクロオーブン１０の動作周波数を中心とする場合、オシレータ３０とパワーアンプ１８との間のパッシブ型バンドパスフィルタ１７を低信号ラインに配置することにより、対象でない周波数を増幅するリスクが減少する。この場合、パッシブ型バンドパスフィルタ１７は、通過帯域外の周波数でＲＦフィーダ２６の放射素子によって閉鎖キャビティ２０に伝送されるエネルギを制限する。例えば、オシレータ３０またはプリアンプ３８に故障が生じた場合、閉鎖キャビティ２０をシールするドアがリークを防ぐことができない範囲の周波数でマイクロ波電力が発生する可能性がある。バンドパスフィルタ１７は、対象としない周波数の振幅を減衰し、放射漏洩を効率的に軽減する。
【００３１】
上述したように、マイクロ波オーブン１０は、複数のＲＦフィーダ２６Ａ〜２６Ｄで閉鎖キャビティ２０内に制御された量の電力を伝送してもよい。さらに、ＲＦフィーダ２６Ａ〜２６Ｄそれぞれから伝送される電力の振幅、周波数、および位相の制御を維持することにより、マイクロ波オーブン１０は、閉鎖キャビティ２０に伝送される電力をコヒーレントに制御してもよい。コヒーレントＲＦ源が、電磁波の干渉特性を有効に使うために、制御した状態で電力を伝送する。すなわち、規定の空間内のエリアや期間に、コヒーレントＲＦ源が、電場が相加状態で分布するように、安定した干渉パターンを提供してもよい。その結果として、干渉パターンは、振幅について、任意のＲＦ源に比べて大きい（すなわち建設的（ｃｏｎｓｔｒｕｃｔｉｖｅ）な干渉）または任意のＲＦ源に比べて小さい（すなわち破壊的（ｄｅｓｔｒｕｃｔｉｖｅ）な干渉）電磁場分布を発生させてもよい。
【００３２】
本発明が、ある特定の実施の形態と関連付けて具体的に説明されたが、それは理解を容易にするためのものであって限定するものではない。合理的な変更や改良が、添付の請求項に言及されている本発明の範囲から逸脱することなく、本開示や図面の範囲内で可能である。
【図１】
2017517128.tif 000003
【図２】
2017517128.tif 000004
【国際調査報告】
2017517128.tif 000005
2017517128.tif 000006